(57)【要約】【課題】  カード搬送手段によって非接触型カード処理手段に近づけるカードのデータや、手によって非接触型カード処理手段に近づけるカードのデータを誤って処理することなく確実に処理する。【解決手段】  カード挿入口７ａと連通するカード搬送路６には、取込みローラ１４と保持ローラ１９が設けられている。カード搬送路６を挟んでカード挿入口７ａと反対側にはカード処理口８が設けられている。ロアーケース２とアッパーケース２ａによって構成される装置の筺体３の外側であって、カード処理口８に隣接して非接触型カード処理手段３３が設けられている。カード挿入口７ａから挿入されたカードＣＢは、後端部が保持ローラ１９とピンチローラ２３とによって保持され、後端部以外がカード処理口８から露呈する。この状態で、カードＣＢは非接触カード処理手段３３によって処理される。また、手によって非接触カード処理手段３３に近づけられたカードＣＢも非接触カード処理手段３３によって処理される。【選択図】  図２
2005301623.tif 000002
【特許請求の範囲】
【請求項１】
カードを挿入するカード挿入口と、このカード挿入口に連通するカード搬送路と、前記カード挿入口と前記カード搬送路を挟んで反対側に設けたカード処理口と、このカード処理口に隣接し装置筺体の外側に設けられた非接触型カード処理手段と、前記カード搬送路に設けられ前記カード挿入口から挿入されたカードをカード挿入口とカード処理口との間で搬送し、前記カード処理口から露呈した状態で保持することにより前記非接触型カード処理手段によってカードのデータを処理させるカード搬送手段とを備えたことを特徴とするカード処理装置。
【請求項２】
請求項１記載のカード処理装置において、前記カード搬送路中に、カードのデータを処理する接触型カード処理手段を設けたことを特徴とするカード処理装置。
【請求項３】
請求項１または２記載のカード処理装置を覆う筺体を備え、この筺体に前記非接触型カード処理手段に対向するカード載置部を設けたことを特徴とするカード取扱装置。
【発明の詳細な説明】
【技術分野】
【０００１】
本発明は、手によってカードを非接触型カード処理手段に近づけることによりカードのデータを処理することが可能であるとともに、装置内のカード搬送手段によってカードを非接触型カード処理手段に近づけることによりカードのデータを処理することも可能なカード処理装置およびそれを使用したカード取扱装置に関するものである。
【背景技術】
【０００２】
例えば、電子マネーの機能を有するカードの処理においては、利用者自身がカードをカード処理手段に近づけることによりカードのデータを処理する場合と、店員にカードを手渡し店員がカード処理装置のカード挿入口に挿入することにより、挿入されたカードが装置内のカード搬送手段によって所定位置に搬送されることによりカードのデータを処理する場合とがある。このため、この種のカード処理装置では、装置本体にカードを近接または接触させるカード近接部と、カード挿入口から挿入されたカードを搬送するカード搬送手段とが備えられている。
【０００３】
従来のカード処理装置は、カード挿入口が設けられた本体ケースと、この本体ケース内に設けられたカード搬送路と、このカード搬送路内に挿入されたカードを搬送するカード搬送手段と、本体ケース内に設けられカードと非接触状態でカードのデータを処理する非接触型処理手段と、本体ケースの外面に非接触型処理手段に近接した状態で設けられたカード近接部とを備え、カード搬送路にカードを挿入することにより非接触型処理手段によってカードのデータを処理できるとともに、カード近接部にカードを近づけることによっても非接触型処理手段によってカードのデータを処理できるものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平１１−１６１７５１号公報（請求項１，７、図１，６）
【発明の開示】
【発明が解決しようとする課題】
【０００４】
上述した従来のカード処理装置においては、非接触型カード処理手段を本体ケースの内部に設ける構造としているため、非接触型カード処理手段をカード搬送路に近づけようとしても、本体ケース内に設けられた搬送用ローラ等の他の構成部品が存在するために、非接触型カード処理手段がこれらの構成部品に当たってしまうので自ずと限界があった。また、カード搬送路と非接触型カード処理手段との間に磁気的なシールド作用を有する部材が介在するとカード搬送路内を搬送されたカードと非接触型カード処理手段との間の信号のやり取りに悪影響を及ぼす。同様に、本体ケースをシールド作用を有する材料で形成すると本体ケースに近づけるカードと非接触型カード処理手段との間の信号のやり取りに悪影響を及ぼす。このため、従来のカード処理装置においては、カード搬送手段によって非接触型カード処理手段に近づけるカードのデータや、手によって非接触型カード処理手段に近づけるカードのデータを誤って処理するおそれがあるという問題があった。
【０００５】
本発明は上記した従来の問題に鑑みなされたものであり、その目的とするところは、カード搬送手段によって非接触型カード処理手段に近づけるカードのデータや、手によって非接触型カード処理手段に近づけるカードのデータを誤って処理することなく確実に処理することにある。
【課題を解決するための手段】
【０００６】
この目的を達成するために、請求項１に係る発明は、カードを挿入するカード挿入口と、このカード挿入口に連通するカード搬送路と、前記カード挿入口と前記カード搬送路を挟んで反対側に設けたカード処理口と、このカード処理口に隣接し装置筺体の外側に設けられた非接触型カード処理手段と、前記カード搬送路に設けられ前記カード挿入口から挿入されたカードをカード挿入口とカード処理口との間で搬送し、前記カード処理口から露呈した状態で保持することにより前記非接触型カード処理手段によってカードのデータを処理させるカード搬送手段とを備えたものである。
【０００７】
請求項２に係る発明は、請求項１に係る発明において、前記カード搬送路中に、カードのデータを処理する接触型カード処理手段を設けたものである。
【０００８】
請求項３に係る発明は、請求項１または２に係るカード処理装置を覆う筺体を備え、この筺体に前記非接触型カード処理手段に対向するカード載置部を設けたものである。
【発明の効果】
【０００９】
請求項１に係る発明によれば、カード搬送手段によって搬送されるカードと非接触型カード処理手段との距離と、手によって近づけるカードと非接触型カード処理手段との距離とを共に短くすることができるため、非接触型カード処理手段によって誤って処理することなく確実に処理ができる。
【００１０】
請求項２に係る発明によれば、上記請求項１に係る発明の効果に加えて、１台のカード処理装置によって非接触型カードと接触型カードとを処理することができるため使い勝手が向上し、カード搬送路またはカード搬送手段を共用できるため装置の小型化および製造コストの低減を図ることができる。
【００１１】
請求項３に係る発明によれば、上記請求項１または２に係る発明の効果に加えて、カード搬送手段によって搬送されカード処理口から露呈した状態で処理されるカードが、筺体に覆われるため処理中に第三者によって故意または誤って取り外されることが阻止される。
【発明を実施するための最良の形態】
【００１２】
以下、本発明の実施の形態を図に基づいて説明する。図１は本発明に係るカード処理装置の平面図、図２は図１におけるII-II 線断面図であって、非接触型カードを処理している状態を示し、図３は図１におけるII-II 線断面図であって、接触型カードを処理している状態を示す。
【００１３】
図１および図２において、全体を符号１で示すカード処理装置は、下方が開口したロアーケース２と、上方が開口したアッパーケース２ａとによって装置の筺体３が構成されており、ロアーケース２の上板４のカード搬送面４ａと、アッパーケースの底板５のカード搬送面５ａとによって矢印Ａ−Ｂ方向に延在するカード搬送路６が形成されている。
【００１４】
ロアーケース２の前端部には、カード挿入口部材７が取り付けられており、このカード挿入口部材７にはカード搬送路６に連通するカード挿入口７ａが設けられており、カード搬送路６の後端側、すなわちカード挿入口７ａとカード搬送路６を挟んで反対側には、カード処理口８が設けられている。９は正・逆方向へ駆動するカード搬送用のモータであって、このモータ９の駆動は減速歯車列１０およびベルト１１を介してプーリ１２に伝達され、このプーリ１２は駆動軸１３の一端に軸着され、駆動軸１３の他端側には第１の駆動ローラとしての取込みローラ１４が軸着されている。この取込みローラ１４はカード挿入口７ａ側に設けられ、この取込みローラ１４の上端はロアーケース２の上板４に設けた窓４ｂからカード搬送路６に臨んでいる。１５はダイヤルノブであって、カード搬送路６内でカードが詰まった場合に、手によってダイヤルノブ１５を回すことにより、手動によって駆動ローラ１１を回転させることができ、詰まったカードをカード挿入口７ａから排出することが可能になる。
【００１５】
１７は駆動軸１８の一端に軸着されたプーリであって、このプーリ１７とプーリ１２との間にベルト１６が張架されており、駆動軸１８の他端側には保持ローラ１９が軸着され、保持ローラ１９はモータ９を駆動源として、取込みローラ１４と同期して同じ方向に回転する。この保持ローラ１９はカード処理口８側に設けられ、この保持ローラ１９の上端はロアーケース２の上板４に設けた窓４ｃからカード搬送路６に臨んでいる。２０はカード搬送路６のカード挿入口７ａ側に設けられたシャッタであって、１枚目のカードがカード搬送路６内に取り込まれると、カード挿入口７ａから挿入される２枚目のカードのカード搬送路６内への取込みを規制する。
【００１６】
２２はアッパーケース２ａ側に回転自在に支持されたピンチローラであって、下端がアッパーケース２ａの底板５に設けた窓５ｂからカード搬送路６に臨み、図示を省略した付勢手段によって取込みローラ１４に押圧されている。２３はアッパーケース２ａ側に回転自在に支持されたピンチローラであって、下端がアッパーケース２ａの底板５に設けた窓５ｃからカード搬送路６に臨み、図示を省略した付勢手段によって保持ローラ１９に押圧されている。このピンチローラ２３と保持ローラ１９とは、図２に示すように、非接触型ＩＣカードＣＢ（以下、カードＣＢという）の後端部を挟持することにより、カードＣＢの後端部以外の部位をカード処理口８から露呈させ水平状態に保持できるように構成されている。
【００１７】
２５は下部側にＩＣ接点２５ａと係合部２５ｂとを備えた接触状態でカードを処理する接触型カード処理手段としてのＩＣ接点スライダであって、底板５に立設したガイド壁２６のガイド溝２６ａによって、アッパーケース２ａの底板５に設けた窓５ｄからカード搬送路６に進退自在かつ矢印Ａ−Ｂ方向へ移動自在に支持され、接触型ＩＣカードＣＡ（以下、カードＣＡという）の矢印Ａ方向への搬送に追従して矢印Ａ方向に移動するととも降下する。すなわち、このＩＣ接点スライダ２５は、引張りコイルばね２７によって矢印Ｂ方向へ付勢されており、ソレノイド２９によって揺動する揺動部材２８によって、前端側に設けた係合部２５ｂがカード搬送路６に進出するように揺動する。したがって、カード搬送路６内を矢印Ａ方向に搬送されるカードＣＡの前端が係合部２５ｂに係合し、カードＣＡの矢印Ａ方向への搬送に追従して矢印Ａ方向へ移動するとともに降下し、カードＣＡの電極にＩＣ接点２５ａが接触してカードＣＡに記録されたデータの処理が行われる。
【００１８】
３０は基台であって、この基台３０にはねじによってカード処理装置１が固定されており、この基台３０の矢印Ａ側の端部には、非接触状態でカードを処理する非接触型カード処理手段３３を設置する設置部３０ａが設けられている。すなわち、この非接触型カード処理手段３３は取付台３４の上端部に設けた凹部３４ａに上端面が取付台３４の上端面よりもわずかに低い位置に位置付けられるように取り付けられており、取付台３４はねじによって基台３０に取り付けられている。このように、取付台３４を介して基台３０の設置部３０ａに固定された非接触型カード処理手段３３は、図２に示すようにカード搬送路６の位置よりも高さＨだけ下方に位置付けられている。
【００１９】
次に、このような構成のカード処理装置におけるカード処理動作について説明する。先ず、図３を用いてカードＣＡを処理する動作を説明する。この場合には、カードＣＡをカード挿入口７ａからカード搬送路６に挿入し、カードＣＡの前端がシャッタ２０を通過すると、センサ（図示せず）がこれを検知しモータ９が正方向に駆動する。したがって、カードの前端が駆動ローラ１４とピンチローラ２２との対接部まで挿入されると、これら両ローラ１４，２２によって矢印Ａ方向へ搬送される。
【００２０】
カードＣＡが矢印Ａ方向へ搬送されると、ソレノイド２９が駆動し揺動部材２８の揺動によってＩＣ接点スライダ２５の係合部２５ｂがカード搬送路６内に進出する。したがって、矢印Ａ方向へ搬送されるカードＣＡの前端が係合部２５ｂに係合するので、カードＣＡの搬送に追従してＩＣ接点スライダ２５も矢印Ａ方向に移動し、ガイド壁２６のガイド溝２６ａによって案内されて降下するので、ＩＣ接点スライダ２５のＩＣ接点２５ａがカードＣＡの電極（図示せず）と接触した状態で、モータ９の駆動が停止しカードＣＡの搬送が停止する。ＩＣ接点スライダ２５のＩＣ接点２５ａとカードＣＡの電極との間でカードＣＡに記録されたデータが処理されると、モータ９が逆方向に駆動し、取込みローラ１４とピンチローラ２２とによって、カードＣＡが矢印Ｂ方向へ搬送され、カード挿入口７ａから排出される。
【００２１】
次に、図２を用いてカード処理装置１によって店員が顧客から手渡されたカードＣＢを処理する場合の動作を説明する。この場合には、カード挿入口７ａが店側すなわち店員側を指向し、カード処理口８が客側を指向するように、カード処理装置１を店頭のレジ台（図示せず）に載置する。この状態としてから、ソレノイド２９を不動作状態に保ち、揺動部材２８によるＩＣ接点スライダ２５への押圧を解除し、係合部２５ｂがカード搬送路６から退避した状態を保つ。この状態で、カードＣＢをカード挿入口７ａからカード搬送路６に挿入し、カードＣＢの前端がシャッタ２０を通過すると、センサ（図示せず）がこれを検知しモータ９が正方向に駆動する。したがって、カードの前端が駆動ローラ１４とピンチローラ２２との対接部まで挿入されると、これら両ローラ１４，２２によって矢印Ａ方向へ搬送される。
【００２２】
矢印Ａ方向に搬送されたカードＣＢの前端が保持ローラ１９とピンチローラ２３との対接部に達すると、これら保持ローラ１９とピンチローラ２３とによって矢印Ａ方向に搬送され、カードＣＢの後端部が保持ローラ１９とピンチローラ２３との対接部に位置すると、モータ９の駆動が停止し、カードＣＢの搬送も停止する。この状態で、カードＣＢの後端部が保持ローラ１９とピンチローラ２３とによって挟持され、カードＣＢの後端部以外の部位がカード処理口８から略水平状態に露呈した状態で保持される。したがって、カードＣＢが非接触型カード処理手段３３に対向し、この非接触型カード処理手段３３とカードＣＢとの間で無線によるカードＣＢのデータの処理が行われる。この場合、非接触型カード処理手段３３を装置の筺体３の外側に設けたことにより、カードＣＢと非接触型カード処理手段３３との間に介在する部材が存在しないため、カードＣＢと非接触型カード処理手段３３との間隔Ｈを最小限とすることができる。このため、非接触型カード処理手段３３とカードＣＢとの間における無線を介してのカードＣＢのデータ処理を誤って処理することなく確実に行うことができる。
【００２３】
また、保持ローラ１９とピンチローラ２３とによって挟持されたカードＣＢと非接触型カード処理手段３３との間隔Ｈが、カードＣＢの自重によって撓むなどして変化したり、カードＣＢの矢印Ａ−Ｂ方向における停止位置がずれたとしても、非接触型カード処理手段３３とカードＣＢとの間におけるデータの送受信を無線によって行っているため、データの処理に支障をきたすようなことがない。
【００２４】
非接触型カード処理手段３３によるカードＣＢのデータの処理が終了すると、モータ９が逆方向へ駆動し、保持ローラ１９とピンチローラ２３とによってカードＣＢが矢印Ｂ方向に搬送され、カードＣＢの後端が取込みローラ１４とピンチローラ２２とによって矢印Ｂ方向へ搬送され、カード挿入口７ａから排出される。排出されたカードＣＢは店員から顧客に返却される。
【００２５】
次に、顧客自身がカードＣＢを非接触型カード処理手段３３に近づけてカードの処理を行う場合を説明する。この場合には、顧客がカードＣＢをカード処理装置１の取付台３４上に載置する。載置されたカードＣＢは非接触型カード処理手段３３に近接して対向するので、この非接触型カード処理手段３３とカードＣＢとの間で無線によるカードＣＢのデータの処理が行われる。この場合も、非接触型カード処理手段３３を装置の筺体３の外側に設けることにより、カードＣＢと非接触型カード処理手段３３との間に介在する部材が存在しないため、カードＣＢを非接触型カード処理手段３３に可能な限り近接または接触させることができる。このため、非接触型カード処理手段３３とカードＣＢとの間における無線を介してのカードＣＢのデータ処理を誤って処理することなく確実に行うことができる。データの処理が終了したら顧客は取付台３４上のカードＣＢを取り上げる。
【００２６】
次に、ＩＣ接点スライダ２５によって処理されるデータと、非接触型カード処理手段３３によって処理されるデータとが記録されたカードのデータの処理動作を説明する。カード（図示せず）をカード挿入口７ａからカード搬送路６に挿入し、カードの前端がシャッタ２０を通過すると、センサ（図示せず）がこれを検知しモータ９が正方向に駆動する。したがって、カードの前端が駆動ローラ１４とピンチローラ２２との対接部まで挿入されると、これら両ローラ１４，２２によって矢印Ａ方向へ搬送される。
【００２７】
カードが矢印Ａ方向へ搬送されると、ソレノイド２９が駆動し揺動部材２８の揺動によってＩＣ接点スライダ２５の係合部２５ｂがカード搬送路６内に進出する。したがって、矢印Ａ方向へ搬送されるカードの前端が係合部２５ｂに係合するので、カードの搬送に追従してＩＣ接点スライダ２５も矢印Ａ方向に移動し、ガイド壁２６のガイド溝２６ａによって案内されて降下するので、ＩＣ接点スライダ２５のＩＣ接点２５ａがカードの電極と接触した状態で、モータ９の駆動が停止しカードの搬送が停止する。ＩＣ接点スライダ２５のＩＣ接点２５ａとカードの電極との間でカードに記録されたデータが処理されると、ソレノイド２９の駆動を解除し、揺動部材２８によるＩＣ接点スライダ２５への押圧を解除し、係合部２５ｂをカード搬送路６から退避させる。
【００２８】
次いで、モータ９を正方向に駆動し、取込みローラ１４とピンチローラ２２および保持ローラ１９とピンチローラ２３とによってカードを矢印Ａ方向へ搬送し、カードの後端部が保持ローラ１９とピンチローラ２３との対接部に位置すると、モータ９の駆動が停止し、カードの搬送も停止する。この状態で、カードの後端部が保持ローラ１９とピンチローラ２３とによって挟持され、カードの後端部以外の部位がカード処理口８から略水平状態に露呈した状態で保持される。したがって、カードが非接触型カード処理手段３３に対向し、この非接触型カード処理手段３３とカードとの間で無線によってカードのデータの処理が行われる。非接触型カード処理手段３３によるカードのデータの処理が終了すると、モータ９が逆方向へ駆動し、保持ローラ１９とピンチローラ２３とによってカードが矢印Ｂ方向に搬送され、カードの後端が取込みローラ１４とピンチローラ２２とによって矢印Ｂ方向へ搬送され、カード挿入口７ａから排出される。
【００２９】
このように、１台のカード処理装置１によって、接触型ＩＣカードＣＡと非接触型ＩＣカードＣＢの両カードおよびＩＣ接点スライダ２５によって処理されるデータと、非接触型カード処理手段３３によって処理されるデータとが記録されたカードを処理することができる。このため、１台のカード処理装置によって非接触型カードと接触型カードとを処理することができるため使い勝手が向上するとともに、カード搬送路６またはカード搬送手段を共用できるため装置の小型化および製造コストの低減を図ることができる。
【００３０】
図４ないし図６は本発明の第２の実施の形態を示し、図４は側面図、図５は図４におけるV 矢視図、図６は図４におけるVI矢視図である。図４に示すように、全体を符号５０で示すカード取扱装置は、上述した第１の実施の形態のカード処理装置１を内蔵する筺体５１を備えており、カード処理装置１はカード搬送路６および非接触型カード処理装置３３が水平状態になるように図示を省略したブラケット等を介して筺体５１内に取り付けられている。
【００３１】
筺体５１の上面板５２は矢印Ｂ方向に向かって下方に傾斜するように形成されており、この上面板５２には、このカード取扱装置５０を取り扱う店員が操作する複数の入力釦５３と、この入力釦５３の操作内容が表示される店側表示部５４とが設けられている。筺体５１の前面側の上部５５は矢印Ａ方向に向かって下方に傾斜しており、この上部５５には入力釦５３の操作内容が表示される客側表示部５６とが設けられている。
【００３２】
前面側の上部５５の下方には、筺体５１の幅方向全体に延在する凹部５７が設けられており、この凹部５７の底部５８は筺体５１内の非接触型カード処理手段３３に対向し、この底部５８がカード載置部を形成している。筺体５１の背面板５９には、カード処理装置１のカード挿入口７ａに対向するカード挿入口６０が設けられており、このカード挿入口６０に挿入されたカードはカード挿入口７ａに挿入される。
【００３３】
次に、このように構成されたカード取扱装置におけるカードの取り扱いの動作について説明する。先ず、店員が顧客から手渡されたカードＣＢを取り扱う場合の動作を説明する。顧客から手渡されたカードＣＢを店員が筺体のカード挿入口６０に挿入すると、カードＣＢはカード処理装置１のカード挿入口７ａからカード搬送路６に挿入される。したがって、上述した第１の実施の形態と同様に、カードＣＢはカード搬送路６内を矢印Ａ方向に搬送され、カードＣＢの後端部が保持ローラ１９とピンチローラ２３とによって挟持され、カードＣＢの後端部以外の部位がカード処理口８から略水平状態に露呈した状態で保持され、カードＣＢが非接触型カード処理手段３３に対向する。
【００３４】
この状態で、店員は顧客が購入した商品の購入額を入力釦５３によって入力すると、入力された購入額が店側表示部５４と客側表示部５６とのそれぞれに表示される。表示された購入額に誤りのないことが店員および顧客によって確認されると、非接触型カード処理手段３３によってカードＣＢのデータの処理が行われる。この場合にも、上述した第１の実施の形態と同様に、カードＣＢと非接触型カード処理手段３３との間隔を最小限とすることができるため、非接触型カード処理手段３３とカードＣＢとの間における無線を介してのカードＣＢのデータ処理を誤って処理することなく確実に行うことができる。
【００３５】
また、カードＣＢが筺体５１によって覆われているため、カードＣＢのデータの処理中に顧客が故意または誤ってカードＣＢをカード取扱装置５０から抜き取ることが阻止されるからカードＣＢの処理が確実に行われる。処理が終了したカードＣＢは、上述した第１の実施の形態と同様に矢印Ｂ方向に搬送され、カード挿入口７ａからカード処理装置１の外部に排出され、次いでカード挿入口６０からカード取扱装置５０の外部に排出されるから、店員はカードＣＢをカート取扱装置５０から抜き取り顧客に返却する。
【００３６】
次に、顧客自身がカードＣＢを非接触型カード処理手段３３に近づけてカードの処理をする場合を説明する。この場合には、顧客がカードＣＢをカード取扱装置５０のカード載置部５８上に載置する。載置されたカードＣＢは非接触型カード処理手段３３に近接して対向する。載置されたことが確認できたら店員は顧客が購入した商品の購入額を入力釦５３によって入力し、入力された購入額が店員側表示部５４と客側表示部５６とのそれぞれに表示される。表示された購入額に誤りのないことが店員および顧客によって確認されると、非接触型カード処理手段３３によってカードＣＢのデータの処理が行われる。この場合も、カード載置台５８を非接触型カード処理手段３３に可能な限り近接させることができるため、非接触型カード処理手段３３とカードＣＢとの間における無線を介してのカードＣＢのデータ処理を誤って処理することなく確実に行うことができる。データの処理が終了したら顧客はカード載置台５８からカードＣＢを取り上げる。
【００３７】
次に、カードＣＡを処理する動作を説明する。この場合には、顧客から手渡されたカードＣＡを店員が筺体のカード挿入口６０に挿入すると、カードＣＡはカード処理装置１のカード挿入口７ａからカード搬送路６に挿入される。上述した第１の実施の形態と同様に、カードＣＡはカード搬送路６内を矢印Ａ方向に搬送され、ソレノイド２９が駆動し揺動部材２８の揺動によってＩＣ接点スライダ２５の係合部２５ｂがカード搬送路６内に進出する。したがって、矢印Ａ方向へ搬送されるカードＣＡの前端が係合部２５ｂに係合するので、カードＣＡの搬送に追従してＩＣ接点スライダ２５も矢印Ａ方向に移動し、ガイド壁２６のガイド溝２６ａによって案内されて降下するので、ＩＣ接点スライダ２５のＩＣ接点２５ａがカードＣＡの電極（図示せず）と接触した状態で、モータ９の駆動が停止しカードＣＡの搬送が停止する。
【００３８】
この状態で、店員が顧客の購入した商品の購入額を入力釦５３によって入力すると、入力された購入額が店側表示部５４と客側表示部５６とのそれぞれに表示される。表示された購入額に誤りのないことが店員および顧客によって確認されると、ＩＣ接点スライダ２５のＩＣ接点２５ａとカードＣＡの電極との間でカードＣＡに記録されたデータが処理される。処理が終了すると、モータ９が逆方向に駆動し、取込みローラ１４とピンチローラ２２とによって、カードＣＡが矢印Ｂ方向へ搬送され、カード挿入口７ａからカード処理装置１の外部に排出され、カード挿入口６０からカード取扱装置５０の外部に排出されるから、店員はカードＣＡをカート取扱装置５０から抜き取り顧客に返却する。
【００３９】
なお、本実施の形態においては、二対の駆動ローラ１４，１９とこれと対接するピンチローラ２２，２３とによってカードの搬送を行うようにしたが、対接する一対の搬送ベルトによって行うようにしてもよい。また、接触型カード処理手段を接触型ＩＣカードＣＡを処理するＩＣ接点スライダ２５としたが、カードに記録された磁気情報を処理する磁気ヘッドとしてもよい。
【図面の簡単な説明】
【００４０】
【図１】本発明に係るカード処理装置の平面図である。
【図２】図１におけるII-II 線断面図であって、非接触型カードを処理している状態を示す。
【図３】図１におけるII-II 線断面図であって、接触型カードを処理している状態を示す。
【図４】本発明の第２の実施の形態の側面図である。
【図５】図４におけるV 矢視図である。
【図６】図４におけるVI矢視図である。
【符号の説明】
【００４１】
１…カード処理装置、６…カード搬送路、７ａ…カード挿入口、８…カード処理口、１４…取込みローラ、１９…保持ローラ、２５…ＩＣ接点スライダ（接触型カード処理手段）、２５ａ…係合部、２５ｂ…ＩＣ接点、３０…基台、３０ａ…設置部、３１ｂ…ねじ、３３…非接触型カード処理手段、３４…取付台、３４ａ…取付片、ＣＡ…接触型ＩＣカード、ＣＢ…非接触型ＩＣカード、５０…カード取扱装置、５１…筺体、５３…入力釦、５４…店側表示部、５６…客側表示部、５８…カード載置部、６０…カード挿入口。
【図１】
2005301623.tif 000003
【図２】
2005301623.tif 000004
【図３】
2005301623.tif 000005
【図４】
2005301623.tif 000006
【図５】
2005301623.tif 000007
【図６】
2005301623.tif 000008